(57)【特許請求の範囲】
【請求項１】
中央透孔の両短径側外周部分を頂点とする略三角形状の平面部と、上記平面部を除く上記中央透孔から略長径方向の外縁線には直線で断面が曲線となる曲線部と、上記平面部と上記曲線部を曲面で連続して立体的強度を向上させて面強度、面剛性、ねじれに強くした振動板を用いた細長構造のスピーカ。
【発明の詳細な説明】
【０００１】
【発明の属する技術分野】
本発明は主としてテレビジョン受像機等の映像音響機器に使用されるスピーカに関するものである。
【０００２】
【従来の技術】
テレビジョン受像機は、スピーカを両側に配置するため角型や楕円型等の細長構造のスピーカが用いられてきたが、陰極線管の横長化に伴い、スピーカの幅を狭くすることが求められると共に、画面の高画質化に対応した音声の高音質化も要求されてきている。
【０００３】
ここで、従来の細長構造のスピーカについて、図３〜図７により説明する。
【０００４】
図３はスピーカの側断面図、図４（ａ），（ｂ）は同要部である振動板の斜視図と断面図、図５は同振動板を用いたスピーカの音圧周波数特性図、図６（ａ），（ｂ）は他の従来のスピーカの要部である振動板の斜視図と断面図、図７は同振動板を用いたスピーカの音圧周波数特性図である。なお、図４、図６には振動板の斜視図とともに説明のために要部引出断面図を記載している。
【０００５】
まず、スピーカの構成について図３により説明する。
【０００６】
同図によるとスピーカは、中心に円柱状のセンターポール１ａを有したボトムプレート１上にリング状マグネット２及びトッププレート３を配置し、このトッププレート３の内周とボトムプレート１のセンターポール１ａで磁気空隙４を形成し、上記トッププレート３上にフレーム５を接合し、ボイスコイル６の巻線部が上記磁気空隙４の中心に位置されるように外周を上記フレーム５に結合し、内周をボイスコイル６に結合したダンパー７によってボイスコイル６を支持し、このボイスコイル６の筒状ボビンと振動板８の中央の透孔８ａを接着し、振動板８のエッジ部９の外周に平坦部を設けてフレーム５と接着固定し、上記平坦部上に更にガスケット１０を接着固定して構成している。なお、１１はダストキャップである。
【０００７】
以上のように構成されたスピーカについて、以下にその動作を説明する。磁気空隙４の中央に位置した平行磁界中のボイスコイル６は電気入力が印加されると、フレミングの左手の法則により、上下方向に力を発生する。その力はボイスコイル６よりその筒状ボビンを経て振動板８へと伝わる。振動板８は前面の空気を振動させ音を発生させるものである。
【０００８】
次に要部である振動板８について詳細に図４（ａ），（ｂ）により説明すると、振動板８は概ね４つの平面部８ｂ，８ｃ，８ｄ，８ｅで構成され、それらの境界には稜線８ｆが境界の接続面である曲面Ｒにて形成されている。このような振動板を用いたスピーカの周波数特性を図５に示す。
【０００９】
また、図６は他の従来技術による振動板であり、振動板全体を長径・短径方向共に湾曲させたものもあるが、一部断面引出図からも明らかなように、中央部も含めすべて同一方向からの曲線の集積となっているものであった。
【００１０】
なお、図５，図７はそれぞれ上記振動板８をスピーカ口径サイズは、長さ２０ｃｍ×幅４ｃｍの長円形状での振動板として作製し、スピーカを組み立ててスピーカ周波数特性を測定した結果である。
【００１１】
【発明が解決しようとする課題】
しかしながら、上述のスピーカは、図５，図７より明らかなごとく細長の振動板８の中央部を点駆動するものであるため、長軸方向の分轄共振が発生し易く中高域では再生音圧の周波数特性上にピークディップを生じ、音質の劣化を招くものであった。これは振動板８が面強度、面剛性、ねじれ等に弱く、周波数特性と音質を悪化させるという課題を有するものであった。
【００１２】
本発明は上記課題を解決するもので、細長構造でありながら分割共振が起こりにくく、且つ平坦な周波数特性が得られる音質の優れたスピーカを提供することを目的とするものである。
【００１３】
【課題を解決するための手段】
上記課題を解決するために本発明のスピーカは、中央透孔の両短径側外周部分を頂点とする略三角形状の平面部と、上記平面部を除く上記中央透孔から略長径方向の外縁線には直線で断面が曲線となる曲線部と、上記平面部と上記曲線部が曲面で連続した振動板を用いてスピーカを構成するものであり、曲面と平面の組み合わせで立体的強度が増し、面強度、面剛性、ねじれ等に強い振動板が得られ、細長形状での共振が発生しにくく、フラットに近い優れた周波数特性のスピーカが得られるものである。
【００１４】
【発明の実施の形態】
本発明のスピーカの請求項１に記載の発明は、中央透孔の両短径側外周部分を頂点とする略三角形状の平面部と、上記平面部を除く上記中央透孔から略長径方向の外縁線には直線で断面が曲線となる曲線部と、上記平面部と上記曲線部が曲面で連続して曲面と平面の組み合わせで立体的強度を向上し、面強度、面剛性、ねじれ等に強くした振動板を用いてスピーカを構成するものであり、細長形状での共振が発生しにくく、フラットに近い優れた周波数特性のスピーカが得られるものである。
【００１５】
以下、本発明の実施の形態について図１、図２により説明する。
【００１６】
図１（ａ），（ｂ）は本発明のスピーカの要部である振動板の斜視図と断面図であり、図２は同音圧周波数特性図である。なお、図１は振動板の斜視図と、説明のために要部の断面図を記載している。
【００１７】
同図により従来技術との相違点である振動板について説明する。
【００１８】
同図によると、１８は振動板であり、１８ａはボイスコイル６と結合される中央透孔であり、１８ｂは中央透孔１８ａの両短径側外周部分を頂点とする略三角形状に設けられた平面部であり、１８ｃはこの平面部１８ｂを除く上記中央透孔１８ａから略長径方向の外縁線１８ｄには直線で、断面が曲線となる曲線部であり、上記平面部１８ｂと上記曲線部１８ｃが曲面で連続した形状となっている。
【００１９】
なお、実験にあたっては振動板１８の三角形の平面部１８ｂの底辺を短径側の幅ａの２倍（２ａ）として形成し、従来技術と同様のスピーカを作製し、音圧周波数特性を測定した。その測定結果を図２に示す。
【００２０】
同図によると、図５および図７の従来のものに比較して共振も発生しにくく、フラットに近い周波数特性のカピーカが得られたことが確認された。これは、略三角形の平面部１８ｂを中央部短径側に設けた振動板形状とすることにより、曲面と平面の組み合わせでの立体的強度が増し、面強度、面剛性、ねじれ等に強い振動板が得られたことによるものと考えられる。
【００２１】
【発明の効果】
以上のように本発明のスピーカは、細長構造でありながら分割共振が起こりにくく、且つ平坦な周波数特性が得られ、音質の優れたものを提供できるものである。
【図面の簡単な説明】
【図１】（ａ）本発明の一実施の形態のスピーカの要部である振動板の斜視図
（ｂ）同要部の断面図
【図２】同音圧周波数特性図
【図３】従来のスピーカの側断面図
【図４】（ａ）同要部である振動板の斜視図
（ｂ）同要部の断面図
【図５】同音圧周波数特性図
【図６】（ａ）同他の従来技術のスピーカの要部である振動板の斜視図
（ｂ）同要部の断面図
【図７】同音圧周波数特性図
【符号の説明】
１８  振動板
１８ａ  中央透孔
１８ｂ  平面部
１８ｃ  曲線部
１８ｄ  外縁線
【図１】
0004126809.tif 000002
【図２】
0004126809.tif 000003
【図３】
0004126809.tif 000004
【図４】
0004126809.tif 000005
【図５】
0004126809.tif 000006
【図６】
0004126809.tif 000007
【図７】
0004126809.tif 000008